(57)【特許請求の範囲】
【請求項１】
ディジタル放送波を受信する受信アンテナが接続される高周波入力部と、ディジタル放送波を再送信する再送信アンテナが接続される高周波出力部と、ディジタル放送受信装置側から送られてくる信号であって当該ディジタル放送受信装置がどのチャンネルを選択したかに対応する周波数選択信号を取得する手段と、前記高周波入力部から入力される高周波信号のうち前記周波数選択信号に対応する周波数の高周波信号を選択して前記高周波出力部に供給する選択送出手段と、を備えたことを特徴とする再送信装置。
【請求項２】
請求項１に記載の再送信装置において、前記高周波入力部には受信アンテナとして室内受信アンテナが装着され、前記高周波出力部には再送信アンテナが装着され、室内受信アンテナと再送信アンテナとは互いの偏波方向が直交していることを特徴とする再送信装置。
【請求項３】
請求項１又は請求項２に記載の再送信装置において、前記高周波入力部には受信アンテナとして室内受信アンテナが装着され、前記高周波出力部には再送信アンテナが装着され、前記室内受信アンテナと再送信アンテナとは互いの送信方向が反対方向となるように導体を挟んで配置されたことを特徴とする再送信装置。
【請求項４】
請求項１乃至請求項３のいずれかに記載の再送信装置において、前記選択送出手段は、高周波入力部から入力される高周波信号のレベルを一定にする第１利得制御手段と、周波数選択信号に対応する周波数の高周波信号を選択するための透過周波数可変フィルタと、選択した高周波信号の送信電力を制御する第２利得制御手段と、を備えて成ることを特徴とする再送信装置。
【請求項５】
請求項１乃至請求項４のいずれかに記載の再送信装置において、前記ディジタル放送受信装置側から送られてくるＯＮ／ＯＦＦ制御信号を取得する手段及び電源スイッチを備え、前記ディジタル放送受信装置側からの制御でＯＮ／ＯＦＦされるように構成されたことを特徴とする再送信装置。
【請求項６】
請求項１乃至請求項５のいずれかに記載の再送信装置において、前記ディジタル放送受信装置側から送られてくる利得調整信号を取得して第２利得制御手段に制御信号を与える手段を備え、前記ディジタル放送受信装置側からの制御で第２利得制御手段による高周波信号の送信電力が調整されるように構成されたことを特徴とする再送信装置。
【請求項７】
請求項１乃至請求項６のいずれかに記載の再送信装置において、前記ディジタル放送受信装置側からの信号を無線で受信するように構成したことを特徴とする再送信装置。
【請求項８】
請求項１乃至請求項７のいずれかに記載の再送信装置と、この再送信装置へ信号を送出する手段を有したディジタル放送受信装置とから成ることを特徴とするディジタル放送受信システム。
【請求項９】
請求項８に記載のディジタル放送受信システムにおいて、ディジタル放送受信装置は、再送信装置からのディジタル放送波の受信信号品質を取得する処理と送信局からのディジタル放送波の受信信号品質を取得する処理と両受信信号品質を比較してどちらのディジタル放送波を採用するかを判断する処理とを行う選択制御手段を備えたことを特徴とするディジタル放送受信システム。
【請求項１０】
請求項２乃至請求項７のいずれかに記載の再送信装置と、この再送信装置へ信号を送出する手段を有したディジタル放送受信装置とから成るディジタル放送受信システムであって、ディジタル放送受信装置は、水平偏波であるディジタル放送波を受け取る第１受信エレメント及び垂直偏波であるディジタル放送波を受け取るための第２受信エレメントを有する室内受信アンテナを備えるとともに、一方のエレメントを選択して再送信装置からのディジタル放送波の受信信号品質を取得する処理と他方のエレメントを選択して送信局からのディジタル放送波の受信信号品質を取得する処理と両受信信号品質を比較してどちらのディジタル放送波を採用するかを判断する処理とを行う選択制御手段を備えたことを特徴とするディジタル放送受信システム。
【請求項１１】
請求項９又は請求項１０に記載のディジタル放送受信システムにおいて、前記選択制御手段による各チャンネルごとの判断結果をメモリに記憶し、判断結果が既に格納済みであるチャンネルが選択されたときには、当該格納済みの判断結果に基づくこととし、選択制御手段による判断処理を省略するように構成したことを特徴とするディジタル放送受信システム。
【発明の詳細な説明】
【０００１】
【産業上の利用分野】
この発明は、ディジタル放送を受信してディジタル放送受信装置へ再送信する再送信装置及びディジタル放送受信システムに関する。
【０００２】
【従来の技術】
ディジタル放送システムでは、ディジタル信号圧縮技術を用いて映像・音声信号を圧縮するとともに、複数番組の映像・音声ディジタル信号を時分割多重したストリーム（トランスポートストリーム）を放送する。一方、このようなディジタル放送を受信する放送受信装置は、アンテナを通して受け取ったディジタル放送の複数のチャンネルのなかから一つをチューナによって選択し、この一つのチャンネルに含まれる複数の番組のうち一つをデマルチプレクス処理によって選択し、この選択したチャンネルのディジタル信号をデコードすることによって映像・音声信号を出力することになる。
【０００３】
ところで、地上波ディジタル放送を受信する場合には、室内アンテナを用いる使用形態が想定されるが、室内アンテナと家屋の窓と送信局との位置関係によっては、十分な受信信号品質が得られないために、受信エラーを招来することが予想される。そこで、例えば、家屋の窓際に再送信装置を置き、この再送信装置のアンテナにて受信したディジタル放送波を増幅してディジタル放送受信装置の室内アンテナに向けて出射することが考えられる。
【０００４】
【発明が解決しようとする課題】
しかしながら、このような再送信を行う場合は、入力と出力の結合により発振しやすくなるので、受信アンテナと送信アンテナの距離を離す必要が生じ、再送信装置が大型化してしまう。また、放送波周波数とは異なる周波数で再送信することが考えられるが、ディジタル放送の信号にはサービス情報が付加されて送出されており、再送信により周波数を変えると受信機側で実際の受信周波数とサービス情報の周波数が一致しなくなる。従って、再送信装置でサービス情報を書き換えて再送信する必要が生じ、構成が複雑になり、高コスト化してしまう。
【０００５】
この発明は、上記の事情に鑑み、周波数変更を行わずに好適に再送信が行える再送信装置及びディジタル放送受信システムを提供することを目的とする。
【０００６】
【課題を解決するための手段】
この発明の再送信装置は、上記課題を解決するために、ディジタル放送波を受信する受信アンテナが接続される高周波入力部と、ディジタル放送波を再送信する再送信アンテナが接続される高周波出力部と、ディジタル放送受信装置側から送られてくる信号であって当該ディジタル放送受信装置がどのチャンネルを選択したかに対応する周波数選択信号を取得する手段と、前記高周波入力部から入力される高周波信号のうち前記周波数選択信号に対応する周波数の高周波信号を選択して前記高周波出力部に供給する選択送出手段と、を備えたことを特徴とする。
【０００７】
上記の構成であれば、ディジタル放送受信装置においてチャンネルを選択すると、この選択されたチャンネルを再送信装置側で認識し、高周波入力部から入力される高周波信号（ディジタル放送波）のうち前記選択したチャンネルに対応する周波数の高周波信号が選択されて前記高周波出力部に供給され、再送信アンテナにてディジタル放送受信装置へ与えられることになる。
【０００８】
前記高周波入力部には受信アンテナとして室内受信アンテナが装着され、前記高周波出力部には再送信アンテナが装着され、室内受信アンテナと再送信アンテナとは互いの偏波方向が直交しているのがよい。また、前記高周波入力部には受信アンテナとして室内受信アンテナが装着され、前記高周波出力部には再送信アンテナが装着され、前記室内受信アンテナと再送信アンテナとは互いの送信方向が反対方向となるように導体を挟んで配置されている構成とするのがよい。
【０００９】
前記選択送出手段は、高周波入力部から入力される高周波信号のレベルを一定にする第１利得制御手段と、周波数選択信号に対応する周波数の高周波信号を選択するための透過周波数可変フィルタと、選択した高周波信号の送信電力を制御する第２利得制御手段と、を備えて成るのがよい。
【００１０】
また、かかる再送信装置においては、前記ディジタル放送受信装置側から送られてくるＯＮ／ＯＦＦ制御信号を取得する手段及び電源スイッチを備え、前記ディジタル放送受信装置側からの制御でＯＮ／ＯＦＦされるように構成されているのがよい。また、前記ディジタル放送受信装置側から送られてくる利得調整信号を取得して第２利得制御手段に制御信号を与える手段を備え、前記ディジタル放送受信装置側からの制御で第２利得制御手段による高周波信号の送信電力が調整されるように構成されていてもよい。また、前記ディジタル放送受信装置側からの信号を無線で受信するように構成してもよい。
【００１１】
また、この発明のディジタル放送受信システムは、上述したいずれかの再送信装置と、この再送信装置へ信号を送出する手段を有したディジタル放送受信装置とから成ることを特徴とする。
【００１２】
上記ディジタル放送受信システムにおいて、ディジタル放送受信装置は、再送信装置からのディジタル放送波の受信信号品質を取得する処理と送信局からのディジタル放送波の受信信号品質を取得する処理と両受信信号品質を比較してどちらのディジタル放送波を採用するかを判断する処理とを行う選択制御手段を備えるのがよい。
【００１３】
また、この発明のディジタル放送受信システムは、室内受信アンテナと再送信アンテナとの偏波方向が互いに直交している再送信装置と、この再送信装置へ信号を送出する手段を有したディジタル放送受信装置とから成るディジタル放送受信システムであって、前記ディジタル放送受信装置は、水平偏波であるディジタル放送波を受け取る第１受信エレメント及び垂直偏波であるディジタル放送波を受け取るための第２受信エレメントを有する受信アンテナを備えるとともに、一方のエレメントを選択して再送信装置からのディジタル放送波の受信信号品質を取得する処理と他方のエレメントを選択して送信局からのディジタル放送波の受信信号品質を取得する処理と両受信信号品質を比較してどちらのディジタル放送波を採用するかを判断する処理とを行う選択制御手段を備えるのがよい。
【００１４】
前記選択制御手段による各チャンネルごとの判断結果をメモリに記憶し、判断結果が既に格納済みであるチャンネルが選択されたときには、当該格納済みの判断結果に基づくこととし、選択制御手段による判断処理を省略するように構成してもよい。
【００１５】
【発明の実施の形態】
以下、この発明の実施形態を図１乃至図３に基づいて説明する。図１及び図２はこの実施形態のディジタル放送受信システムを示したブロック図であり、図３は室内受信アンテナ及び室内再送信アンテナから成るセットに再送信装置が付加された状態を示した斜視図である。
【００１６】
図１において、室内アンテナ１５は、水平偏波のディジタル放送波を受け取る第１受信エレメント１５ａ及び垂直偏波のディジタル放送波を受け取るための第２受信エレメント１５ｂを有している。いずれのエレメントによる受信信号を採用するかの処理は、マイクロコンピュータ３１の指令に基づいて地上波ディジタルチューナ２１が行う。
【００１７】
地上波ディジタルチューナ２１は、受信した高周波ディジタル変調信号（ディジタル放送波）のうちから特定周波数の信号を取り出す。また、地上波ディジタルチューナ２１は、復調回路、逆インタリーブ回路、誤り訂正回路などを備えることにより、選択したディジタル変調信号を復調してトランスポート・ストリームを出力する。また、地上波ディジタルチューナ２１は、受信したディジタル放送波のＣ／Ｎ或いは誤り率（受信信号品質値）を生成してマイクロコンピュータ３１に与える。
【００１８】
デマルチプレクサ（ＤＥＭＵＸ）２２は、地上波ディジタルチューナ２１から受け取ったトランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）に分離する。デマルチプレクサ２２は、ビデオストリームとオーディオストリームをＡＶデコーダ２３に供給し、ＰＳＩ／ＳＩをマイクロコンピュータ３１に供給する。なお、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定もＰＳＩ／ＳＩの情報に基づいて行うことができる。
【００１９】
ＡＶデコーダ２３は、ビデオストリームに対してデコードを行うビデオデコーダ、及びオーディオストリームに対してデコードを行うオーディオデコーダを備える。ビデオデコーダは入力された可変長符号を復号して量子化係数や動きベクトルを求め、逆ＤＣＴ変換や動きベクトルに基づく動き補償制御などを行う。オーディオデコーダは入力された符号化信号を復号して音声データを生成する。デコードにより生成された映像データは映像処理回路２４に出力され、音声データは音声処理回路２５に出力される。
【００２０】
映像処理回路２４はＡＶデコーダ２３から映像データを受け取り、Ｄ／Ａ変換を行って映像信号を生成する。音声信号処理回路２５はＡＶデコーダ４から出力された音声データを受け取り、Ｄ／Ａ変換を行い、右（Ｒ）音のアナログ信号および左（Ｌ）音のアナログ信号を生成する。ドライブ回路２６は前記映像信号を受け取り、ＲＧＢ信号や同期信号を生成してＣＲＴ２７を駆動する。スピーカ３３はアナログ音声信号を受け取って音声出力する。
【００２１】
ＯＳＤ（オンスクリーンディスプレイ）回路３０は、マイクロコンピュータ３１から出力指示された文字情報や図形情報に基づくビットマップデータを加算器３４に出力する。加算器３４は前記ビットマップデータを映像に組み込む。
【００２２】
リモコン送信機２８は、当該放送受信装置１７に指令を送出するための送信機である。リモコン送信機２８には、電源キー、チャンネル指定キーなどが設けられている。このリモコン送信機２８に設けられたキーを操作すると、それらキーに対応した指令を意味する信号光（リモコン信号）が図示しない発光部から送出される。リモコン受光器２９は、前記信号光を受光し、これを電気信号に変換してマイクロコンピュータ３１に与える。
【００２３】
メモリ（例えば、ＥＥＰＲＯＭ等）３２には、所定動作を実行するための各種プログラム等が格納されている。また、放送局からの直接のディジタル放送波の偏波方向の情報（すなわち、第１受信エレメント１５ａと第２受信エレメント１５ｂのどれが放送局からの直接のディジタル放送波を受け取ることになるかの情報）が格納される。この情報入力は利用者がリモコン送信機２８や図示しない設定スイッチ等を用いて行うことができる。また、メモリ３２には、チューナ２１によって取得されたＣ／Ｎ或いは誤り率（受信信号品質値）がチャンネルに対応して格納される。
【００２４】
制御信号送信部１６は、マイクロコンピュータ３１の指令に基づいて再送信装置１４へ各種の制御信号（例えば、赤外線信号）を送出する。マイクロコンピュータ３１は、前記リモコン送信機１０などを用いたユーザによる番組選択処理などを行う他、再送信装置１４を制御するために前記制御信号送信部１６を駆動する処理、及び、放送局からの直接のディジタル放送波を採用するか或いは再送信装置１４からのディジタル放送波を採用するかの選択制御を実行する。この選択制御については、後で詳述する。
【００２５】
図２に示すように、再送信装置１４には、スイッチ部３ａを有したＲＦ（高周波）入力部３が設けられている。スイッチ部３ａは二つの入力部を有し、一方の入力部には室内受信アンテナ１が接続されており、他方の入力部にはアンテナ接続部２を介して図示しない屋外受信アンテナを接続し得るようになっている。このスイッチ部３ａは、利用者によって手動操作される。図示しない送信局からの地上波ディジタル放送波は、室内受信アンテナ１又は屋外受信アンテナによって電気信号に変換され、ＲＦ入力部３を経てオートゲインコントローラ（ＡＧＣ）４に入力される。
【００２６】
オートゲインコントローラ４は、検波器（ＤＥＴ）５からフィードバックされる出力信号を入力し、受信信号レベルを一定に保つように成っている。具体的には、オートゲインコントローラ４は、送信局と室内受信アンテナ１との間の伝送路のレベル変動を打ち消し、チャンネル選択フィルタ６に入力される受信信号レベルが一定となるよう動作する。
【００２７】
チャンネル選択フィルタ６は、与えられた制御電圧によって透過中心周波数を可変できるものである。前記制御電圧は制御信号復調部（Ｄｅｃ）１０から与えられるものであり、ディジタル放送受信装置１７にて選択されたチャンネルに対応したものとなる。このチャンネル選択フィルタ６よってディジタル放送受信装置１７にて選択されたチャンネルに対応した周波数成分の信号が取り出されてゲイン可変アンプ（Ｇａｉｎ）７に供給される。
【００２８】
ゲイン可変アンプ７は、制御信号復調部１０が供給する制御電圧を入力し、この制御電圧に基づいた利得にて信号を増幅し、この増幅した信号をローパスフィルタ（ＬＰＦ）８に供給する。ローパスフィルタ８は、信号中に含まれる高調波を低減して当該信号を再送信室内アンテナ１３に供給する。再送信室内アンテナ１３によって、ディジタル放送受信装置１７にて選択されたチャンネルに対応した周波数成分のディジタル放送波がディジタル放送受信装置１７に向けて送信される。
【００２９】
再送信室内アンテナ１３及び前記室内受信アンテナ１は、図３に示すように、互いの送信方向が反対方向となるように略四角形の平板状導体１８を挟んで配置されることで一つのアンテナセットを構成している。そして、室内受信アンテナ１と再送信室内アンテナ１とは互いの偏波方向が直交している。再送信装置１４は送受信の電波干渉を受けないようにシールドされたケースに収容され、当該アンテナセットに付加された形態になっている。
【００３０】
信号受信部９は、ディジタル放送受信装置１７側に設けられた制御信号送信部１６からの制御信号を受信し、これを電気信号に変換して制御信号復調部１０に与える。制御信号復調部１０は、受信した前記制御信号を復調することによって命令を解読し、電源スイッチ１１のＯＮ／ＯＦＦ制御、ゲイン可変アンプ７の利得制御、及びチャンネル選択フィルタ６の透過中心周波数変更制御を行う。この透過中心周波数変更制御のためには、ディジタル放送受信装置１７からの制御信号（コード）と制御電圧値（チャンネル選択フィルタ６に与える制御電圧）との対応テーブルを備えておけばよい。或いは、ディジタル放送受信装置１７から選択チャンネルに基づいた制御電圧値（チャンネル選択フィルタ６に与える制御電圧）自体を示す信号を与えるようにしてもよい。電源スイッチ１１は、電源入力部１２からの電力をオートゲインコントローラ４等に供給するか否か（当該再送信装置１４のＯＮ／ＯＦＦ）を切り替えるスイッチである。なお、制御信号復調部１０へは電源入力部１２からの電力が電源スイッチ１１を介さずに常時供給されている。
【００３１】
ディジタル放送受信装置１７側に設けられた制御信号送信部１６は、ディジタル放送受信装置１７に内蔵されている前記マイクロコンピュータ３１にて制御される。このマイクロコンピュータ３１は、利用者がリモコン送信機２８にてチャンネル選択を行ったときに受信することになるチャンネル選択信号に基づいて制御信号送信部１６を駆動し、どのチャンネルが選択されたか（どの周波数を選択透過すべきか）を示す情報を再送信装置１４に伝える。また、同様に制御信号送信部１６を駆動することで、電源スイッチ１１のＯＮ／ＯＦＦ制御、ゲイン可変アンプ７の利得制御のための信号を再送信装置１４に与えることができる。
【００３２】
次に、ディジタル放送受信システムによる受信処理を説明する。まず、かかるシステムの設定として、再送信装置１４の設置調整を行う。この設置調整では、室内受信アンテナ１の偏波面は放送局からの直接のディジタル放送波の偏波方向と一致させておく（これにより、再送信波の偏波方向は直接のディジタル放送波の偏波方向と直交することになる）。また、放送局からの直接のディジタル放送波の偏波方向をディジタル放送受信装置１７に登録し、直接波と再送信波を選択受信するために室内アンテナ１５の偏波方向を切り替える際、室内アンテナ１５が受信すべき偏波面を認識できるようにする。例えば、送信局からの直接のディジタル放送波が水平偏波の場合には再送信波は垂直偏波となるから、再送信波を受けるときには、ディジタル放送受信装置１７は室内アンテナ１５の第２エレメント１５ｂからの受信信号を採用し、水平偏波である直接波を受けるときは第１エレメント１５ａからの受信信号を採用する処理を行う。
【００３３】
ディジタル放送受信装置１７がＯＮされると、その当初においては再送信装置１４の電源ＯＮの指示は行わず、まず、室内受信アンテナ１５によって送信局からの直接のディジタル放送波の受信を試行する。このとき、水平偏波である直接波を受けるので、第１エレメント１５ａからの受信信号を採用し、この時の受信信号品質値をメモリ３２に格納する。次に、ディジタル放送受信装置１７は再送信装置１４に対し、電源ＯＮ指令となる信号及びどのチャンネルが選択されたかを示す信号等を送信する。更に、第２エレメント１５ｂからの受信信号を採用するように切替処理を行う。
【００３４】
再送信装置１４は、制御信号受信部９にて上記信号を受信する。制御信号復調部１０は、上記信号を復調して制御内容を把握し、電源スイッチ１１をＯＮするとともに、上記選択されたチャンネルに対応してチャンネル選択フィルタ６の中心周波数に相当する制御電圧を発生させる。また、送信出力レベルを決めるゲイン可変アンプ７の制御電圧も発生させる。かかる処理により、室内受信アンテナ１にて受信した放送波のうちディジタル放送受信装置１７で受信しようとしているチャンネルの放送波のみが室内受信アンテナ１に対して直交する偏波の放送波となって再送信室内アンテナ１３から送信される。
【００３５】
ディジタル放送受信装置１７は、第２エレメント１５ｂにて再送信装置１４からの放送波を受信し、その受信品質値を取得する。そして、この再送信装置１４からの放送波の受信品質値と既にメモリ３２に格納している直接波の受信品質値とを比較しつつ、再送信装置１４からの放送波の受信品質値が最良となるようにそのゲイン可変アンプ７の送信電力を調整すべく再送信装置１４に対し制御信号を送信する。そして、再送信装置１４からの放送波の受信品質値が既にメモリ３２に格納されている直接波の受信品質値を超えることが無かった場合には、再送信装置１４を使わずに送信局からの直接受信を行うために、電源スイッチ１１をＯＦＦするようにディジタル放送受信装置１７は再送信装置１４に電源ＯＦＦの指令信号を送出する。また、ディジタル放送受信装置１７は、室内受信アンテナ１５の偏波方向を直接の放送波の受信用に変更すべく、室内受信アンテナ１５の第１エレメント１５ａを採用する。一方、再送信装置１４からの放送波の受信品質値がメモリ３２に格納されている直接波の受信品質値を超えた場合は、再送信装置１４を電源ＯＮ状態のままとし、室内アンテナ１５についても第２エレメント１５ｂの採用状態のままとしておく。
【００３６】
また、視聴者がリモコン送信機２８を操作してチャンネルを変えた際も前述と同様に、室内受信アンテナ１５の一方のエレメントを選択して再送信装置１４からのディジタル放送波の受信信号品質を取得する処理と他方のエレメントを選択して送信局からのディジタル放送波の受信信号品質を取得する処理と両受信信号品質を比較してどちらのディジタル放送波を採用するかを判断する処理とを行うようになっている。
【００３７】
視聴者がディジタル放送受信装置１７の電源をＯＦＦしたり、衛星系やケーブル等、地上波によらない放送受信モードに切り替えた時、ディジタル放送受信装置１７は、再送信装置１４の電源スイッチ１１をＯＦＦすべく、制御信号送信部１６にて制御信号を送出する。
【００３８】
なお、各チャンネルについて直接波／再送信波のいずれが好ましいかを一度判断したら、そのことをディジタル放送受信装置１７のメモリ３２に登録しておき、チャンネル変更時に直接波／再送信波の好受信条件の選択確認動作をしないようにしてもよい。このような選択確認動作無しの期間は、例えば、翌日まで、或いは、１週間経過するまで、或いは、次に利用者によって再確認の指令がディジタル放送受信装置１７に与えられるまで、などとすることが考えられる。また、当該システムの設置時や引っ越した後の有局チャンネルサーチに付随して直接波／再送信波の好受信条件の選択確認動作を行うようにしてもよい。また、当該システムの設置地域が分かっていて、且つ、当該地域の電波受信状況が分かっているときには、各チャンネルについて直接波／再送信波のいずれが好ましいかが予め分かる場合があり、このような場合には、選択確認動作無しで、ディジタル放送受信装置１７のメモリ３２に情報を登録しておくようにしてもよい。
【００３９】
また、屋外に設置したアンテナから安定した受信信号がケーブルにより室内まで導かれている場合は、この屋外アンテナを外部アンテナ入力端子２に接続し、スイッチ３を外部アンテナ入力端子側２に切り替えてもよい。
【００４０】
以上説明したように、再送信装置１４は、放送帯域の全ての放送波を再送信するのではなく、ディジタル放送受信装置１７が受信しようとするチャンネルに連動し、受信チャンネルの周波数帯のみを選択的に再送信するので、送受信間の結合を軽減させることができる。また、この実施形態では、再送信室内アンテナ１３及び室内受信アンテナ１は、互いの送信方向が反対方向となるように導体１８を挟んで配置されており、送受信点は近くなるものの送受信方向を正確に１８０度違えることができるので、送信波と受信波の回り込みを軽減できる。更に、この実施形態においては、室内受信アンテナ１と再送信室内アンテナ１とは互いの偏波方向が直交しているので、送信波と受信波分離は容易になり、発振を抑えることができる。
【００４１】
【発明の効果】
以上説明したように、この発明によれば、窓から離れた場所にディジタル放送受信装置を設置した場合でも、再送信装置からの再送信波によって、室内受信アンテナで安定した受信が行えることになる。再送信装置は、送信局からの周波数を変更することなく再送信するので、サービス情報の差し替えも必要がなく、回路を簡素化できる。
【図面の簡単な説明】
【図１】この発明の実施形態のディジタル放送受信システムにおいて、ディジタル放送受信装置を詳細に示したブロック図である。
【図２】この発明の実施形態のディジタル放送受信システムにおいて、再送信装置を詳細に示したブロック図である。
【図３】この発明の実施形態のディジタル放送受信システムで用いた再送信装置に取り付けるアンテナを示した斜視図である。
【符号の説明】
１    室内受信アンテナ
４    オートゲインコントローラ
６    チャンネル選択フィルタ
７    ゲイン制御アンプ
８    ローパスフィルタ
１０  制御信号復調器
１３  再送信室内アンテナ
１５  室内受信アンテナ
１６  制御信号送信部
１７  ディジタル放送受信装置
２１  地上波ディジタルチューナ
【図１】
0003920626.tif 000002
【図２】
0003920626.tif 000003
【図３】
0003920626.tif 000004